(57)【要約】【課題】  横編機を用いてベース編地と紐状編地を編成し、横編機上でベース編地の表裏に紐状編地を渡らせることができる編地の編成方法を提供する。【解決手段】  第一の編糸を用いてベース編地を編成する工程１と、ベース編地を構成する編目を係止していない編針で、第二の編糸を用いて紐状編地を構成する編目を形成する工程２と、ベース編地を構成する一部の編目を対向する針床へ目移しする工程３と、紐状編地を構成する編目をベース編地の編幅方向の一方側から他方側に向けて、目移しにより移動させる工程４と、工程４の目移しにより紐状編地を構成する編目を、工程３で対向する針床へ目移しされた編目を針床上で越えて、ベース編地を構成する編目を係止していない編針まで移動させる工程５と、工程３で目移しされた編目を元の針床へ目移しして戻す工程６とを行うことにより、ベース編地の表裏へ紐状編地を渡らせることができる。【選択図】図２
2014136841.tif 000002
【特許請求の範囲】
【請求項１】
少なくとも前後一対の針床を備え、前後の針床間で目移しが可能な横編機による編地の編成方法において、
第一の編糸を用いてベース編地を編成する工程１と、
ベース編地を構成する編目を係止していない編針で、第二の編糸を用いて紐状編地を構成する編目を形成する工程２と、
ベース編地を構成する一部の編目を対向する針床へ目移しする工程３と、
紐状編地を構成する編目をベース編地の編幅方向の一方側から他方側に向けて、目移しにより移動させる工程４と、
工程４の目移しにより紐状編地を構成する編目を、工程３で対向する針床へ目移しされた編目を針床上で越えて、ベース編地を構成する編目を係止していない編針まで移動させる工程５と、
工程３で目移しされた編目を元の針床へ目移しして戻す工程６、とを含み、これら工程を行うことにより、紐状編地の編成を行いながらベース編地の表裏へ紐状編地を渡らせることを特徴とする編地の編成方法。
【請求項２】
前記紐状編地の編成は、工程２の編目の形成と、工程３の目移しによる移動とを交互に繰り返しながら行うことを特徴とする請求項１記載の編地の編成方法。
【請求項３】
前記工程２での紐状編地を構成する編目の形成は、ベース編地を構成する編目を係止していない同一針床上の編針を用いて、表目として編成することを特徴とする請求項１または２記載の編地の編成方法。
【請求項４】
前記工程２での紐状編地を構成する編目の形成は、ベース編地を構成する編目を係止していない前後の針床上の編針を用いて、筒状に編成することを特徴とする請求項１または２記載の編地の編成方法。
【発明の詳細な説明】
【技術分野】
【０００１】
本発明は、ベース編地の表裏に紐状編地を渡らせた編地の編成方法に関する。
【背景技術】
【０００２】
横編機を用いて編成される編地には、公知のインレイ編地がある。例えば特許文献１は、リブ組織であるベース編地の表裏にインレイ糸を発現させてデザイン性の高い編地を提案している。
【先行技術文献】
【特許文献】
【０００３】
【特許文献１】特許第４８４８３７２号公報
【発明の概要】
【発明が解決しようとする課題】
【０００４】
特許文献１では、リブ組織の表裏に現れるのはインレイ糸であり、編目は形成されていない。また、編目で形成された紐状編地をベース編地の表裏に現れるようにするには、ベース編地の編成とは別に編成された紐状編地を、後工程で手作業によってベース編地へ挿通させる必要がある。
【０００５】
本発明の目的は、横編機を用いてベース編地と紐状編地を編成し、横編機上でベース編地の表裏に紐状編地を渡らせることができる編地の編成方法を提供することである。
【課題を解決するための手段】
【０００６】
本発明は、少なくとも前後一対の針床を備え、前後の針床間で目移しが可能な横編機による編地の編成方法において、第一の編糸を用いてベース編地を編成する工程１と、ベース編地を構成する編目を係止していない編針で、第二の編糸を用いて紐状編地を構成する編目を形成する工程２と、ベース編地を構成する一部の編目を対向する針床へ目移しする工程３と、紐状編地を構成する編目をベース編地の編幅方向の一方側から他方側に向けて、目移しにより移動させる工程４と、工程４の目移しにより紐状編地を構成する編目を、工程３で対向する針床へ目移しされた編目を針床上で越えて、ベース編地を構成する編目を係止していない編針まで移動させる工程５と、工程３で目移しされた編目を元の針床へ目移しして戻す工程６、とを含み、これら工程を行うことにより、紐状編地の編成を行いながらベース編地の表裏へ紐状編地を渡らせることを特徴とする
【０００７】
また本発明では、前記紐状編地の編成は、工程２の編目の形成と、工程３の目移しによる移動とを交互に繰り返しながら行うことを特徴とする。
【０００８】
また本発明では、前記工程２での紐状編地を構成する編目の形成は、ベース編地を構成する編目を係止していない同一針床上の編針を用いて、表目として編成することを特徴とする。
【０００９】
また本発明では、前記工程２での紐状編地を構成する編目の形成は、ベース編地を構成する編目を係止していない前後の針床上の編針を用いて、筒状に編成することを特徴とする。
【発明の効果】
【００１０】
本発明によれば、横編機でベース編地と紐状編地を編成し、横編機上でベース編地の表裏に紐状編地を渡らせることができるため、後工程での作業を廃止できる。また紐状編地の編成における編目数と編成コース数の選択によって、紐状編地の幅や太さと長さを所望のものにすることができる。また、ベース編地の表裏に紐状編地を渡らせる区間も自在であり、編地のデザインの自由度も高い。
【００１１】
また本発明によれば、紐状編地を構成する編目の形成と目移しを交互に繰り返すため、同じ編目が繰り返して目移しされることがなく、編糸の損傷を防ぐことができる。
【００１２】
また本発明によれば、ベース編地の表面に対して、紐状編地を表目として渡らせることができるため、見栄えが良い編地を編成することができる。
【００１３】
また本発明によれば、紐状編地を筒状に編成することで、太くて丈夫なものにすることができる。
【図面の簡単な説明】
【００１４】
【図１】本発明の実施例である編地１の画像である。
【図２】本発明の実施例である編地１の編成図である。
【発明を実施するための形態】
【００１５】
以下、図１の編地１の画像および図２の編成図を用いて本発明の一実施例としての編地の編成方法を説明する。本実施例で編成に使用する横編機は、前後一対の針床を備えた二枚ベッド横編機であり、各針床間で目移しが可能である。編成に使用する横編機は四枚ベッドでもよく、横編機に備える編針は、べら針または複合針のいずれであってもよい。また説明の便宜のため、図２の編成図における編針の本数は、図１の編地１よりもよりも少なくしている。図２の編成図にて、図中左側の数字は編成ステップ（Ｓ）を、図中の左右方向の矢印は編成方向を、図中の上下方向の矢印は目移し方向を示す。ＦＢは前針床を、ＢＢは後針床を示す。大文字のＡ〜ＱはＦＢの編針を、小文字のａ〜ｑはＢＢの編針を示す。また、太線の丸印はその編成ステップで形成される編目を、細線の丸印はその編成ステップの編成に関係せず編針に係止されたままの編目を示す。
また、実施例での表面とは前針床ＦＢ側から見た編地または編目を、裏面とは後針床ＢＢ側から見た編地または編目を指す。
【実施例】
【００１６】
図１は、本発明の実施例である編地１を示す画像である。編地１は、天竺組織のベース編地２の表面であり、各編目は表目である。ベース編地２の表面には紐状編地３が現れているが、紐状編地３はベース編地２の表裏に渡って挿入されている。尚、ベース編地２と紐状編地３とは異なる編糸で編成され、ベース編地２と紐状編地３は固定されていない。
【００１７】
図２は、本発明の実施例である編地１の編成図である。但し、ベース編地２の表裏に紐状編地３を渡らせた一ヶ所についての編成図である。ベース編地２は公知の針抜き編成によって編成される。
【００１８】
Ｓ１は、ベース編地２の編目を形成するための編成コースであり、Ｓ３以降で説明する紐状編地３の編成を開始する直前の編成コースである。Ｓ１では、ベース編地２を編成するための編糸（第一の編糸）は給糸口Ｘから給糸して、ＦＢにおける編針Ａ〜Ｑの区間で１本置きの編針でベース編地２を構成する編目（表目）を形成する。
【００１９】
Ｓ２は、ベース編地２の表裏に紐状編地３を渡らせるための準備として、編針Ｇ，Ｉ，Ｋで係止するベース編地の編目を、対向する針床であるＢＢの編針ｇ，ｉ，ｋへ目移しする。このようにベース編地２を構成する一部の編目を対向するＢＢへ移動させた区間は、Ｓ３以降で説明する紐状編地３が通過し、最終的にはベース編地の表面に紐状編地３が現れる区間となる。
【００２０】
Ｓ３は、紐状編地３の編成である。紐状編地３を編成するための編糸（第二の編糸）は給糸口Ｙから給糸して、ベース編地２を構成する編目を係止していないＦＢの編針Ｂ，Ｄで編目（表目）を形成する。編針Ｂ，Ｄでの編目の形成は、右行きと左行きの編成によって２コース分の編目が形成される。
【００２１】
Ｓ４は、Ｓ３で形成されて編針Ｂ，Ｄで係止する編目を目移しにより移動させる。矢印で示すように、編針Ｂ，Ｄで係止する編目を対向するＢＢの編針ｂ，ｄへ一旦目移しした後、ＢＢをラッキングして、ＦＢの編針Ｆ，Ｈへ目移しする。続いて編針Ｆ，Ｈにおいて、Ｓ３と同様に右行きと左行きの編成によって２コース分の編目を形成する。
【００２２】
Ｓ５は、Ｓ４で形成されて編針Ｆ，Ｈで係止する編目を目移しにより移動させる。矢印で示すように、編針Ｆ，Ｈで係止する編目を対向するＢＢの編針ｆ，ｈへ一旦目移しした後、ＢＢをラッキングして、ＦＢの編針Ｊ，Ｌへ目移しする。続いて編針Ｊ，Ｌにおいて、Ｓ３やＳ４と同様に右行きと左行きの編成によって２コース分の編目を形成する。
【００２３】
Ｓ６でもＳ４やＳ５と同様の編成によって、編針Ｊ，Ｌで係止する編目を目移しによって編針Ｎ，Ｐへ移動させ、編針Ｎ，Ｐにおいて２コース分の編目を形成する。編針Ｎ，Ｐまでの編目の移動によって、紐状編地３はベース編地２の編幅方向の一方側（編針Ａ側）から他方側（編針Ｑ側）に向けて移動し、且つＳ２で対向するＢＢへ目移しされた編目を針床上で越えた状態になる。また紐状編地３は、編針Ｅ−ｇ間と編糸ｋ−Ｍにそれぞれ渡る第一の編糸上を交差するように通過する。
【００２４】
Ｓ３〜Ｓ６にて、紐状編地３を構成する二つの編目を編幅方向の一方側から他方側に向けて移動しており、既に編成を終えて編針に係止されていない部分の紐状編地３も引き連れて同様に移動させている。
【００２５】
またＳ３〜Ｓ６にて紐状編地３は、紐状編地３を構成する編目の形成と目移しによる移動とを交互に繰り返している。従って目移しされる編目は、毎回新たに形成された編目であり、同じ編目が繰り返して目移しされていないため、編糸の損傷を防ぐことができる。編糸が損傷する虞れが無ければ、Ｓ３で紐状編地３を構成する編目を例えばまとめて６コース分形成しておき、目移しのみを繰り返して編針Ｎ，Ｐまで移動させてもよい。
【００２６】
またＳ３〜Ｓ６にて、紐状編地３を構成する連続した編目を２目として２コース分形成している。ここで、２目は紐状編地３の幅（編幅方向に直交する方向）に相当し、２コースの編成は紐状編地３の長さ（編幅方向）となる。つまり、連続する目数が増すほど、紐状編地３の幅も増す。また、その編成コース数が増すほど、紐状編地３も長くなる。このため、紐状編地３を構成する連続した編目数とその編成コース数は上述の実施例に限定されず、それらの数の選択によって、紐状編地３を変化させることができる。
【００２７】
Ｓ７は、Ｓ２での目移しによってＢＢの編針ｇ，ｉ，ｋで係止状態を保っていた編目を、ＦＢの編針Ｇ，Ｉ，Ｋへ目移しして元に戻す。これにより紐状編地３は、前述の編針Ｅ−ｇ間と編糸ｋ−Ｍにそれぞれ渡る第一の編糸によってＦＢ側（編地の表面側）へ押し出された状態となる。その後、Ｓ１と同様にベース編地２の編目を形成するための編成コースを所望の回数繰り返して編成を終えると、横編機上でベース編地２の表裏に紐状編地３が渡った編地を得ることができる。紐状編地３は編針Ｅと編針Ｇで形成されたベース編地２の編目間で裏面から表面に出て、編針Ｋと編針Ｍで形成されたベース編地２の編目間で表面から裏面に出ていくようになる。なお、Ｓ１〜Ｓ７と同様の編成を四ヶ所で繰り返して行えば、図１で示す編地１を得ることができる。また、Ｓ４，Ｓ５では紐状編地の編目をそれぞれ２コース分形成したが、それらのコース数を多くするほどベース編地の表面に現れる紐状編地の張りを緩ませることができる。ベース編地２の表裏に紐状編地３を渡らせる区間は、Ｓ２の目移しで決定されるため、目移しする編目数や位置などを組み合せることに種々の編地を得ることができ、編地のデザインの自由度も高い。
【００２８】
本実施例では、紐状編地を構成する編目は、すべて同一の針床ＦＢ上で２目ずつ形成して、ベース編地の表面に対して紐状編地を表目したため見栄えがよい。なお、紐状編地を構成する編目を針床ＢＢ上で形成して裏目とすることも可能である。
【００２９】
また変形例として、紐状編地を構成する編目をＦＢとＢＢにおける空針を利用して周回状に編目を形成して筒状編地にしてもよい。紐状編地を筒状編地にすれば、太くて丈夫なものにすることができる。この場合、これら編目の目移しを可能にするために、針抜きのピッチを広げて編針を確保する、または四枚ベッド横編機を用いる、または公知のトランスファージャックやホールディングなどの編目の預け置き手段を利用するなどすればよい。
【００３０】
本願発明の編成方法を利用すれば、例えば編地表面に紐状編地が発現したデザインのニットウエアを編成することができる。また、ニットウエアのベース編地と紐状編地とで異なる素材の編糸や異なる色糸を使用してもよい。また、筒状編地にて紐状編地の始端となる編目を編針で係止しておき、複数個所で編地の表裏に紐状編地を挿入し、紐状編地の始端の編目と終端の編目とを接合することもできる。また、紐状編地をベース編地から分岐するように編み始めて、紐状編地の始端をベース編地に固定することや、紐状編地の終端をベース編地へ接合して固定させることもできる。また、図１の編地１では、左下の紐状編地３と右下の紐状編地３、左上の紐状編地３と右上の紐状編地３はそれぞれベース編地２の同一の編目コース上で表面に現れているが、例えば左下の紐状編地３を形成後に一旦その編成を休止し、右上の紐状編地３から再度その編成を行なうことも可能である。
【符号の説明】
【００３１】
１  編地
２  ベース編地
３  紐状編地
【図２】
2014136841.tif 000003
【図１】
2014136841.tif 000004